(57)【要約】【課題】ＣｏＭＰ送信する際のシステム全体及びセル端のユーザ端末ＵＥのスループット特性を改善すること。【解決手段】本発明の無線通信システムは、複数の無線基地局装置と、複数の無線基地局装置と協調マルチポイント送受信可能に構成されたユーザ端末とを備え、ユーザ端末は、協調マルチポイント送信の送信ポイント毎にフィードバック情報を送信し（Ｓ２３）、無線基地局装置は、ユーザ端末からフィードバックされる、協調マルチポイント送信の送信ポイント間のフィードバック情報のばらつき度合いを算出し（Ｓ２４）、算出したばらつき度合いに応じてユーザ端末に割り当てる無線リソースを決定する（Ｓ２５）ことを特徴とする。【選択図】図５
2014127961.tif 000002
【特許請求の範囲】
【請求項１】
複数の無線基地局装置と、前記複数の無線基地局装置と協調マルチポイント送受信可能に構成されたユーザ端末とを備えた無線通信システムにおける無線基地局装置であって、
前記無線基地局装置は、前記ユーザ端末からフィードバックされる、協調マルチポイント送信の送信ポイント間のフィードバック情報のばらつき度合いを算出する算出部と、前記算出部により算出されたばらつき度合いに応じて前記ユーザ端末に割り当てる無線リソースを決定する決定部とを有することを特徴とする無線基地局装置。
【請求項２】
前記決定部は、前記算出部により算出されたばらつき度合いが大きい前記ユーザ端末に割り当てる無線リソースを相対的に多くする一方、前記算出部により算出されたばらつき度合いが小さい前記ユーザ端末に割り当てる無線リソースを相対的に少なくすることを特徴とする請求項１記載の無線基地局装置。
【請求項３】
前記決定部は、前記算出部により算出されたばらつき度合いに応じたパラメータにより予め定められたスケジューリングメトリックを補正することで前記ユーザ端末に割り当てる無線リソースを決定することを特徴とする請求項１記載の無線基地局装置。
【請求項４】
前記決定部は、協調マルチポイント送信の送信ポイント数に応じて前記パラメータを正規化することを特徴とする請求項３記載の無線基地局装置。
【請求項５】
前記決定部は、前記パラメータにより、プロポーショナルフェアネススケジューリングメトリックを補正することを特徴とする請求項３記載の無線基地局装置。
【請求項６】
前記算出部は、前記ユーザ端末からフィードバックされる協調マルチポイント送信の送信ポイント間のＣＱＩのばらつき度合いを算出し、前記決定部は、算出されたＣＱＩのばらつき度合いに応じて前記ユーザ端末に割り当てる無線リソースを決定することを特徴とする請求項１記載の無線基地局装置。
【請求項７】
前記算出部は、ＣｏＭＰ  ｍｅａｓｕｒｅｍｅｎｔ  ｓｅｔで指定されるチャネル品質測定用セル間のＣＱＩのばらつき度合いを算出することを特徴とする請求項６記載の無線基地局装置。
【請求項８】
前記算出部は、前記ユーザ端末からフィードバックされる協調マルチポイント送信の送信ポイント間のＲＳＲＰ／ＲＳＲＱのばらつき度合いを算出し、前記決定部は、算出されたＲＳＲＰ／ＲＳＲＱのばらつき度合いに応じて前記ユーザ端末に割り当てる無線リソースを決定することを特徴とする請求項１記載の無線基地局装置。
【請求項９】
複数の無線基地局装置と、前記複数の無線基地局装置と協調マルチポイント送受信可能に構成されたユーザ端末とを備えた無線通信システムであって、前記ユーザ端末は、協調マルチポイント送信の送信ポイント毎にフィードバック情報を送信する送信部を有し、前記無線基地局装置は、前記ユーザ端末からフィードバックされる、協調マルチポイント送信の送信ポイント間のフィードバック情報のばらつき度合いを算出する算出部と、前記算出部により算出されたばらつき度合いに応じて前記ユーザ端末に割り当てる無線リソースを決定する決定部とを有することを特徴とする無線通信システム。
【請求項１０】
複数の無線基地局装置と、前記複数の無線基地局装置と協調マルチポイント送受信可能に構成されたユーザ端末と、を備えた無線通信システムの無線通信方法であって、
前記ユーザ端末において、協調マルチポイント送信の送信ポイント毎にフィードバック情報を送信する工程と、前記無線基地局装置において、前記ユーザ端末からフィードバックされる、協調マルチポイント送信の送信ポイント間のフィードバック情報のばらつき度合いを算出する工程と、算出されたばらつき度合いに応じて前記ユーザ端末に割り当てる無線リソースを決定する工程とを有することを特徴とする無線通信方法。
【発明の詳細な説明】
【技術分野】
【０００１】
本発明は、セルラーシステム等に適用可能な無線基地局装置、無線通信システム及び無線通信方法に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）ネットワークにおいては、周波数利用効率の向上、データレートの向上を目的として、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）やＨＳＵＰＡ（Ｈｉｇｈ  Ｓｐｅｅｄ  Ｕｐｌｉｎｋ  Ｐａｃｋｅｔ  Ａｃｃｅｓｓ）を採用することにより、Ｗ−ＣＤＭＡ（Ｗｉｄｅｂａｎｄ‐Ｃｏｄｅ  Ｄｉｖｉｓｉｏｎ  Ｍｕｌｔｉｐｌｅ  Ａｃｃｅｓｓ）をベースとしたシステムの特徴を最大限に引き出すことが行われている。このＵＭＴＳネットワークについては、更なる高速データレート、低遅延などを目的としてＬＴＥ（Ｌｏｎｇ  Ｔｅｒｍ  Ｅｖｏｌｕｔｉｏｎ）が検討されている（非特許文献１）。
【０００３】
第３世代のシステムは、概して５ＭＨｚの固定帯域を用いて、下り回線で最大２Ｍｂｐｓ程度の伝送レートを実現できる。一方、ＬＴＥのシステムでは、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる広帯域化及び高速化を目的として、ＬＴＥの後継のシステムも検討されている（例えば、ＬＴＥアドバンスト（ＬＴＥ−Ａ））。
【先行技術文献】
【非特許文献】
【０００４】
【非特許文献１】３ＧＰＰ，  ＴＲ２５．９１２  （Ｖ７．１．０），  “Ｆｅａｓｉｂｉｌｉｔｙ  ｓｔｕｄｙ  ｆｏｒ  Ｅｖｏｌｖｅｄ  ＵＴＲＡ  ａｎｄ  ＵＴＲＡＮ”，  Ｓｅｐｔ．  ２００６
【発明の概要】
【発明が解決しようとする課題】
【０００５】
ところで、ＬＴＥシステムに対してさらにシステム性能を向上させるための有望な技術の１つとして、セル間直交化がある。例えば、ＬＴＥ−Ａシステムでは、上下リンクとも直交マルチアクセスによりセル内の直交化が実現されている。すなわち、下りリンクでは、周波数領域においてユーザ端末ＵＥ（Ｕｓｅｒ  Ｅｑｕｉｐｍｅｎｔ）間で直交化されている。一方、セル間はＷ−ＣＤＭＡと同様、１セル周波数繰り返しによる干渉ランダム化が基本である。
【０００６】
そこで、３ＧＰＰ（３ｒｄ  Ｇｅｎｅｒａｔｉｏｎ  Ｐａｒｔｎｅｒｓｈｉｐ  Ｐｒｏｊｅｃｔ）では、セル間直交化を実現するための技術として、協調マルチポイント送受信（ＣｏＭＰ：Ｃｏｏｒｄｉｎａｔｅｄ  Ｍｕｌｔｉ−Ｐｏｉｎｔ  ｔｒａｎｓｍｉｓｓｉｏｎ／ｒｅｃｅｐｔｉｏｎ）技術が検討されている。このＣｏＭＰ送受信では、１つ或いは複数のユーザ端末ＵＥに対して複数のセルが協調して送受信の信号処理を行う。例えば、下りリンクでは、プリコーディングを適用する複数セル同時送信、協調スケジューリング／ビームフォーミングなどが検討されている。
【０００７】
これらのＣｏＭＰ技術の適用により、特にセル端に位置するユーザ端末ＵＥのスループット特性の改善が期待される。しかしながら、セル端のユーザ端末ＵＥに対して過度に無線リソースを割り当てる場合には、無線リソースが有効に活用されず、システム全体のスループット特性やセル端のユーザ端末ＵＥのスループット特性が劣化する事態が発生し得る。すなわち、ＣｏＭＰ技術の適用によりスループット特性を改善するためには、セル端のユーザ端末ＵＥに対して適度に無線リソースを割り当てることが求められる。
【０００８】
本発明はかかる点に鑑みてなされたものであり、ＣｏＭＰ送信する際のシステム全体及びセル端のユーザ端末ＵＥのスループット特性を改善することができる無線基地局装置、無線通信システム及び無線通信方法を提供することを目的とする。
【課題を解決するための手段】
【０００９】
本発明の無線基地局装置は、複数の無線基地局装置と、前記複数の無線基地局装置と協調マルチポイント送受信可能に構成されたユーザ端末とを備えた無線通信システムにおける無線基地局装置であって、前記無線基地局装置は、前記ユーザ端末からフィードバックされる、協調マルチポイント送信の送信ポイント間のフィードバック情報のばらつき度合いを算出する算出部と、前記算出部により算出されたばらつき度合いに応じて前記ユーザ端末に割り当てる無線リソースを決定する決定部とを有することを特徴とする。
【００１０】
本発明の無線通信システムは、複数の無線基地局装置と、前記複数の無線基地局装置と協調マルチポイント送受信可能に構成されたユーザ端末とを備えた無線通信システムであって、前記ユーザ端末は、協調マルチポイント送信の送信ポイント毎にフィードバック情報を送信する送信部を有し、前記無線基地局装置は、前記ユーザ端末からフィードバックされる、協調マルチポイント送信の送信ポイント間のフィードバック情報のばらつき度合いを算出する算出部と、前記算出部により算出されたばらつき度合いに応じて前記ユーザ端末に割り当てる無線リソースを決定する決定部とを有することを特徴とする。
【００１１】
本発明の無線通信方法は、複数の無線基地局装置と、前記複数の無線基地局装置と協調マルチポイント送受信可能に構成されたユーザ端末と、を備えた無線通信システムの無線通信方法であって、前記ユーザ端末において、協調マルチポイント送信の送信ポイント毎にフィードバック情報を送信する工程と、前記無線基地局装置において、前記ユーザ端末からフィードバックされる、協調マルチポイント送信の送信ポイント間のフィードバック情報のばらつき度合いを算出する工程と、算出されたばらつき度合いに応じて前記ユーザ端末に割り当てる無線リソースを決定する工程とを有することを特徴とする。
【発明の効果】
【００１２】
本発明によれば、ＣｏＭＰ送信する際のシステム全体及びセル端のユーザ端末ＵＥのスループット特性を改善することができる。
【図面の簡単な説明】
【００１３】
【図１】協調マルチポイント送信を説明するための図である。
【図２】協調マルチポイント送受信に適用される無線基地局装置の構成を示す模式図である。
【図３】無線通信システムのセル構成を説明するための模式図である。
【図４】ＣｏＭＰ送信伝達セルを決定する動作を説明するためのシーケンス図である。
【図５】無線基地局装置において、送信ポイント間のＣＱＩのばらつき度合いに応じてスケジューリングメトリックを補正する動作を説明するためのフロー図である。
【図６】無線通信システムのシステム構成を説明するための図である。
【図７】無線基地局装置の全体構成を示すブロック図である。
【図８】ユーザ端末の全体構成を示すブロック図である。
【図９】集中制御型の無線基地局装置のベースバンド処理部の構成を示すブロック図である。
【図１０】自律分散制御型の無線基地局装置のベースバンド処理部の構成を示すブロック図である。
【図１１】ユーザ端末におけるベースバンド信号処理部の構成を示すブロック図である。
【発明を実施するための形態】
【００１４】
以下、本発明の実施の形態について、添付図面を参照して詳細に説明する。
【００１５】
まず、図１を用いて下りリンクのＣｏＭＰ送信について説明する。下りリンクのＣｏＭＰ送信としては、Ｃｏｏｒｄｉｎａｔｅｄ  Ｓｃｈｅｄｕｌｉｎｇ／Ｃｏｏｒｄｉｎａｔｅｄ  Ｂｅａｍｆｏｒｍｉｎｇと、Ｊｏｉｎｔ  ｐｒｏｃｅｓｓｉｎｇとがある。Ｃｏｏｒｄｉｎａｔｅｄ  Ｓｃｈｅｄｕｌｉｎｇ／Ｃｏｏｒｄｉｎａｔｅｄ  Ｂｅａｍｆｏｒｍｉｎｇは、１つのユーザ端末ＵＥに対して１つのセルからのみ共有データチャネルを送信する方法であり、図１Ａに示すように、他セルからの干渉や他セルへの干渉を考慮して周波数／空間領域における無線リソースの割り当てを行う。一方、Ｊｏｉｎｔ  ｐｒｏｃｅｓｓｉｎｇは、プリコーディングを適用して複数のセルから同時に共有データチャネルを送信する方法であり、図１Ｂに示すように、１つのユーザ端末ＵＥに対して複数のセルから共有データチャネルを送信するＪｏｉｎｔ  ｔｒａｎｓｍｉｓｓｉｏｎと、図１Ｃに示すように、瞬時に１つのセルを選択し共有データチャネルを送信するＤｙｎａｍｉｃ  Ｐｏｉｎｔ  Ｓｅｌｅｃｔｉｏｎ（ＤＰＳ）とがある。
【００１６】
ＣｏＭＰ送受信を実現する構成としては、例えば、図２Ａに示すように、無線基地局装置（無線基地局装置ｅＮＢ）に対して光ファイバ等で接続された複数の遠隔無線装置（ＲＲＥ：Ｒｅｍｏｔｅ  Ｒａｄｉｏ  Ｅｑｕｉｐｍｅｎｔ）とを含む構成（ＲＲＥ構成に基づく集中制御）と、図２Ｂに示すように、無線基地局装置（無線基地局装置ｅＮＢ）の構成（独立基地局構成に基づく自律分散制御）とがある。なお、図２Ａにおいては、複数の遠隔無線装置ＲＲＥを含む構成を示すが、図１に示すように、単一の遠隔無線装置ＲＲＥのみを含む構成としてもよい。
【００１７】
図２Ａに示す構成（ＲＲＥ構成）においては、遠隔無線装置ＲＲＥ１，ＲＲＥ２を無線基地局装置ｅＮＢで集中的に制御する。ＲＲＥ構成では、複数の遠隔無線装置ＲＲＥのベースバンド信号処理及び制御を行う無線基地局装置ｅＮＢ（集中基地局）と各セル（すなわち、各遠隔無線装置ＲＲＥ）との間が光ファイバを用いたベースバンド信号で接続されるため、セル間の無線リソース制御を集中基地局において一括して行うことができる。すなわち、独立基地局構成で問題となる無線基地局装置ｅＮＢ間のシグナリングの遅延やオーバヘッドの問題が小さく、セル間の高速な無線リソース制御が比較的容易となる。したがって、ＲＲＥ構成においては、下りリンクでは、複数セル同時送信のような高速なセル間の信号処理を用いる方法が適用できる。
【００１８】
一方、図２Ｂに示す構成（独立基地局構成）においては、複数の無線基地局装置ｅＮＢ（又はＲＲＥ）でそれぞれスケジューリングなどの無線リソース割り当て制御を行う。この場合においては、セル１の無線基地局装置ｅＮＢとセル２の無線基地局装置ｅＮＢとの間のＸ２インターフェースで必要に応じてタイミング情報やスケジューリングなどの無線リソース割り当て情報をいずれかの無線基地局装置ｅＮＢに送信して、セル間の協調を行う。
【００１９】
ここで、下りリンクのＣｏＭＰ送信において、ユーザ端末ＵＥに共有データチャネル信号を送信するセル（ＣｏＭＰ送信伝達セル）を決定する方法について、図３及び図４を参照しながら説明する。図３は、無線通信システムのセル構成を説明するための模式図である。図４は、ＣｏＭＰ送信伝達セルを決定する動作を説明するためのシーケンス図である。
【００２０】
下りリンクのＣｏＭＰ送信が行われる場合、まず、サービングセルにおける無線基地局装置ｅＮＢが、ユーザ端末ＵＥに、メジャメント候補セル（ＲＲＭ  ｍｅａｓｕｒｅｍｅｎｔ  ｓｅｔ）１１０を、ＲＲＣ（Ｒａｄｉｏ  Ｒｅｓｏｕｒｃｅ  Ｃｏｎｔｒｏｌ）プロトコルの制御信号によって通知する（ステップＳ１１）。
【００２１】
ユーザ端末ＵＥは、各メジャメント候補セル１１０から受信したＣＲＳ（Ｃｅｌｌ  ｓｐｅｃｉｆｉｃ  Ｒｅｆｅｒｅｎｃｅ  Ｓｉｇｎａｌ）又はＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）に基づいて、ＲＳＲＰ（Ｒｅｆｅｒｅｎｃｅ  Ｓｉｇｎａｌ  Ｒｅｃｅｉｖｅｄ  Ｐｏｗｅｒ）／ＲＳＲＱ（Ｒｅｆｅｒｅｎｃｅ  Ｓｉｇｎａｌ  Ｒｅｃｅｉｖｅｄ  Ｑｕａｌｉｔｙ）を測定する。そして、ユーザ端末ＵＥは、ＲＳＲＰ／ＲＳＲＱの測定結果より、ＣｏＭＰ送信を要求すべきか否か判定する。
【００２２】
ＣｏＭＰ送信を要求すべきか否かの判定は、例えば、周辺セルのＲＳＲＰ／ＲＳＲＱが、サービングセルのＲＳＲＰ／ＲＳＲＱを上回ったか否か、或いは、サービングセルのＲＳＲＰ／ＲＳＲＱが閾値を下回ったか否かなどにより行う。ユーザ端末ＵＥが、ＣｏＭＰ送信を要求すべきと判定した場合には、無線基地局装置ｅＮＢに対してメジャメントレポート（測定報告）結果を、ハイヤレイヤシグナリング（例えば、ＲＲＣシグナリング）で報告し、ＣｏＭＰ送信を要求する（ステップＳ１２）。なお、ユーザ端末ＵＥから無線基地局装置ｅＮＢへ送信されるメジャメントレポート結果には、サービングセルのＲＳＲＰ／ＲＳＲＱ及び周辺セルのＲＳＲＰ／ＲＳＲＱが含まれる。
【００２３】
無線基地局装置ｅＮＢは、メジャメントレポート結果に基づいて、メジャメント候補セル１１０の中からチャネル品質測定用セル（ＣｏＭＰ  ｍｅａｓｕｒｅｍｅｎｔ  ｓｅｔ）１１１を指定する。そして、無線基地局装置ｅＮＢは、チャネル品質測定用セル（ＣｏＭＰ  ｍｅａｓｕｒｅｍｅｎｔ  ｓｅｔ）１１１の通知を含むコネクション再構成信号（ＲＲＣ  Ｃｏｎｎｅｃｔｉｏｎ  Ｒｅｃｏｎｆｉｇｕｒａｔｉｏｎ）を、ＣｏＭＰ送信を適用すべきユーザ端末ＵＥに対して送信する（ステップＳ１３）。
【００２４】
ユーザ端末ＵＥは、無線基地局装置ｅＮＢからのコネクション再構成信号に対応して、チャネル品質測定用セル１１１の通知を受信したことを通知するためのコネクション再構成完了信号（ＲＲＣ  Ｃｏｎｎｅｃｔｉｏｎ  Ｒｅｃｏｎｆｉｇｕｒａｔｉｏｎ  Ｃｏｍｐｌｅｔｅ）を無線基地局装置ｅＮＢに対して送信する（ステップＳ１４）。
【００２５】
その後、ユーザ端末ＵＥは、無線基地局装置ｅＮＢから通知されたチャネル品質測定用セル１１１のＣＳＩ（Ｃｈａｎｎｅｌ  Ｓｔａｔｅ  Ｉｎｆｏｒｍａｔｉｏｎ）を測定する。そして、ユーザ端末ＵＥは、各チャネル品質測定用セル１１１について測定したＣＳＩをＰＵＣＣＨ（Ｐｈｙｓｉｃａｌ  Ｕｐｌｉｎｋ  Ｃｏｎｔｒｏｌ  Ｃｈａｎｎｅｌ）によって無線基地局装置ｅＮＢにフィードバックする（ステップＳ１５）。
【００２６】
なお、ユーザ端末ＵＥからフィードバックされるＣＳＩには、無線基地局装置ｅＮＢと
ユーザ端末ＵＥとの間で既知のコードブックにおけるランク数（ＲＩ：Ｒａｎｋ  Ｉｎｄｉｃａｔｏｒ）及びプリコーダ（ＰＭＩ：Ｐｒｅｃｏｒｄｉｎｇ  Ｍａｔｒｉｘ  Ｉｎｄｉｃａｔｏｒ）、並びに、変調方式と符号化率の組み合わせから構成されるＣＱＩ（Ｃｈａｎｎｅｌ  Ｑｕａｌｉｔｙ  Ｉｎｄｉｃａｔｏｒ）が含まれる。
【００２７】
無線基地局装置ｅＮＢは、ユーザ端末ＵＥからフィードバックされた複数のＣＳＩに基づいて、チャネル品質測定用セル１１１の中からＣｏＭＰ送信伝達セル（ＣｏＭＰ  ｔｒａｎｓｍｉｓｓｉｏｎ  ｐｏｉｎｔｓ）１１２を決定する。このように決定したＣｏＭＰ送信伝達セルに対して、無線基地局装置ｅＮＢは、図１に示すＣｏｏｒｄｉｎａｔｅｄ  Ｓｃｈｅｄｕｌｉｎｇ／Ｃｏｏｒｄｉｎａｔｅｄ  Ｂｅａｍｆｏｒｍｉｎｇと、Ｊｏｉｎｔ  ｐｒｏｃｅｓｓｉｎｇとを適宜選択してＣｏＭＰ送信を行う。
【００２８】
ところで、上述したステップＳ１５において、無線基地局装置ｅＮＢにフィードバックされる複数のＣＱＩ又はＲＳＲＱ／ＲＳＲＰは、セル中央近傍に位置するユーザ端末ＵＥと、セル端に位置するユーザ端末ＵＥ（以下、適宜「セルエッジＵＥ」という）との間で、セル（送信ポイント）間のばらつき度合いが異なる。なお、ここでは、複数のＣＱＩをフィードバックする場合について説明するが、他の複数の測定結果(ＲＳＲＱ／ＲＳＲＱなど)を用いてもよい。セル間（送信ポイント間）にフィードバックされるＣＱＩのばらつき度合いについては、セル中央近傍に位置するユーザ端末ＵＥは、当該ユーザ端末ＵＥが位置するセルのＣＱＩと周辺セルのＣＱＩとの差が大きく、セル間のＣＱＩのばらつき度合いが相対的に大きい。一方、セルエッジＵＥは、当該セルエッジＵＥが位置するセルのＣＱＩと周辺セルのＣＱＩとの差が小さく、セル間のＣＱＩのばらつき度合いが相対的に小さい。
【００２９】
一般に、セルエッジＵＥにおいては、各セルの無線基地局装置ｅＮＢからの信号の受信電力が小さい。このため、セルエッジＵＥからフィードバックされるＣＱＩにおいては、チャネル推定誤差が相対的に大きくなる。このようにチャネル推定誤差が相対的に大きいセルエッジＵＥに対して過度に無線リソースを割り当てる場合、無線リソースが有効に活用されず、結果として、システム全体のスループット特性やセルエッジＵＥのスループット特性が劣化する事態が発生し得る。
【００３０】
本発明者らはこの点に着目し、ユーザ端末ＵＥからフィードバックされる送信ポイント間のフィードバック情報（ＣＱＩ）のばらつき度合いからセルエッジＵＥを識別すると共に、識別したセルエッジＵＥに過度に無線リソースが割り当てられる事態を回避することで、システム全体及びセルエッジＵＥのスループット特性を改善できることを見出して本発明を完成させた。
【００３１】
すなわち、本発明の骨子は、無線基地局装置ｅＮＢにおいて、ユーザ端末ＵＥからフィードバックされる送信ポイント間のフィードバック情報のばらつき度合いを算出し、算出したばらつき度合いに応じてユーザ端末ＵＥに割り当てる無線リソースを決定することにある。より具体的には、ユーザ端末ＵＥからフィードバックされる送信ポイント間のフィードバック情報のばらつき度合いが小さいユーザ端末ＵＥに割り当てる無線リソース量を相対的に少なくする一方、ばらつき度合いが大きいユーザ端末ＵＥに割り当てる無線リソース量を相対的に多くする。すなわち、ユーザ端末ＵＥからの送信ポイント間のフィードバック情報のばらつき度合いによりセルエッジＵＥか、セルエッジＵＥ以外のユーザ端末ＵＥかを判定し、その判定結果に応じてユーザ端末ＵＥに割り当てる無線リソースを調整する。
【００３２】
本発明においては、ユーザ端末ＵＥからフィードバックされる送信ポイント間のフィードバック情報のばらつき度合いが算出され、算出されたばらつき度合いに応じてユーザ端末ＵＥに割り当てる無線リソースが決定される。これにより、ユーザ端末ＵＥがセルエッジＵＥであるか否かを判定可能な送信ポイント間のフィードバック情報のばらつき度合いに応じてユーザ端末に割り当てる無線リソースを決定できることから、セルエッジＵＥに過度に無線リソースが割り当てられる事態を回避できるので、システム全体及びセル端のユーザ端末ＵＥのスループット特性を改善することが可能となる。
【００３３】
特に、本発明においては、ユーザ端末ＵＥからフィードバックされる送信ポイント間のフィードバック情報のばらつき度合いが小さいユーザ端末ＵＥに割り当てる無線リソース量を相対的に少なくする一方、ばらつき度合いが大きいユーザ端末ＵＥに割り当てる無線リソース量を相対的に多くする。これにより、セルエッジＵＥに過度に無線リソースが割り当てられる事態を効果的に回避できるので、システム全体及びセル端のユーザ端末ＵＥのスループット特性を改善することが可能となる。
【００３４】
なお、本発明において、無線基地局装置ｅＮＢは、送信ポイント間のフィードバック情報のばらつき度合いに応じて無線リソース割当てを決定するスケジューリングメトリックを補正することで、セルエッジＵＥに割り当てる無線リソースを決定（調整）する。このようにスケジューリングメトリックを補正することで、ユーザ端末ＵＥに割り当てる無線リソースが決定されることから、ユーザ端末ＵＥからフィードバックされる送信ポイント間のフィードバック情報のばらつき度合いに応じて一定の精度を確保しながら、ユーザ端末ＵＥに対して無線リソースを割り当てることが可能となる。
【００３５】
例えば、補正されるスケジューリングメトリックとしては、ユーザ端末ＵＥに対する公平性を確保するプロポーショナルフェアネス（ＰＦ：Ｐｒｏｐｏｒｔｉｏｎａｌ  Ｆａｉｒｎｅｓｓ）スケジューリングメトリックや、ユーザ端末ＵＥにおける瞬時データレートを最大化するスケジューリングメトリックなどが考えられる。しかしながら、補正対象となるスケジューリングメトリックについては、これに限定されるものではなく適宜変更が可能である。
【００３６】
なお、ＰＦスケジューリングメトリックにおいては、無線リソース毎のチャネル情報の平均値（平均チャネル情報）に対する、無線リソース毎のチャネル情報の比（すなわち、チャネル情報／平均チャネル情報）により表される評価値が大きい無線リソースがユーザ端末ＵＥに優先的に割り当てられる。近年、公平性及びデータレートの両面から、ユーザ端末ＵＥに割り当てる無線リソースを調整するＷｅｉｇｈｔｅｄ  ＰＦ（ＷＰＦ）スケジューリングメトリックが提案されている。このＷＰＦスケジューリングメトリックも本発明の補正対象となるスケジューリングメトリックに含めることができる。以下においては、これらのＰＦスケジューリングメトリック及びＷＰＦスケジューリングメトリックを、本発明に係る無線通信方法により補正する場合について説明する。
【００３７】
ここで、ＰＦスケジューリングメトリック及びＷＰＦスケジューリングメトリックにおける無線リソースの算出方法について説明する。ＰＦスケジューリングメトリックが適用される場合、時刻ｎにおけるユーザｉの無線リソースは、Ｐｉ［ｎ］に比例しており、以下の（式１）により求められる。
（式１）
Ｐｉ［ｎ］＝Ｒｉｎｓｔ［ｎ］／Ｒａｖｇ［ｎ］
ここで、「Ｒｉｎｓｔ」は、瞬時データレートを示し、「Ｒａｖｇ」は、平均データレートを示している。なお、以下に示す各計算式においても同様である。
【００３８】
一方、ＷＰＦスケジューリングメトリックが適用される場合、時刻ｎにおけるユーザｉの無線リソースは、ＷＰｉ［ｎ］に比例しており、以下の（式２）により求められる。
（式２）
ＷＰｉ［ｎ］＝（Ｒｉｎｓｔ［ｎ］）α／（Ｒａｖｇ［ｎ］）β
ここで、「α」、「β」は、公平性及びデータレートの向上の観点からユーザ端末ＵＥに割り当てる無線リソースを調整するための重み付け係数である。この場合、α／βが０に近いほど算出結果の公平性を確保するスケジューリング動作となる。一方、α／βを大きくするほどデータレートの和の最大化を狙ったスケジューリング動作となる。なお、α／β＝１である場合、上述したＰＦスケジューリングメトリック（式１）に等価となり算出結果の公平性が確保される。
【００３９】
本発明に係る無線基地局装置ｅＮＢは、上述したＣｏＭＰ送信伝達セルを決定する過程において、ユーザ端末ＵＥからフィードバックされる送信ポイント間のフィードバック情報のばらつき度合いを算出する。そして、算出したばらつき度合いに応じて上述したＰＦスケジューリングメトリック及びＷＰＦスケジューリングメトリックを補正する。例えば、ユーザ端末ＵＥからフィードバックされるチャネル品質測定用セル１１１（ＣｏＭＰ  ｍｅａｓｕｒｅｍｅｎｔ  ｓｅｔで指定されるセル）の無線基地局装置ｅＮＢ間のＣＱＩのばらつき度合いに応じて上述したＰＦスケジューリングメトリック及びＷＰＦスケジューリングメトリックを補正する。
【００４０】
なお、ばらつき度合いの算出対象となる無線基地局装置ｅＮＢについては、チャネル品質測定用セル１１１に限定されるものではない。無線基地局装置ｅＮＢは、ばらつき度合いの算出対象として、ＣｏＭＰ送信伝達セル１１２（ＣｏＭＰ  ｔｒａｎｓｍｉｓｓｉｏｎ  ｐｏｉｎｔｓとして指定されるセル）の無線基地局装置ｅＮＢや、メジャメント候補セル１１０（ＲＲＭ  ｍｅａｓｕｒｅｍｅｎｔ  ｓｅｔで指定されるセル）の無線基地局装置ｅＮＢを選択することができる。
【００４１】
ここで、本発明に係る無線基地局装置ｅＮＢにおけるスケジューリングメトリックの補正方法について説明する。無線基地局装置ｅＮＢは、上述した既存のＰＦスケジューリングメトリック及びＷＰＦスケジューリングメトリックを以下のように補正する。すなわち、ＰＦスケジューリングメトリックが適用される場合の無線リソースＰｉ［ｎ］及びＷＰＦスケジューリングメトリックが適用される場合の無線リソースはＷＰｉ［ｎ］に比例しており、それぞれ以下の（式３）、（式４）により求められる。
（式３）
Ｐｉ［ｎ］＝Ｆγ×Ｒｉｎｓｔ［ｎ］／Ｒａｖｇ［ｎ］
（式４）
ＷＰｉ［ｎ］＝Ｆγ×（Ｒｉｎｓｔ［ｎ］）α／（Ｒａｖｇ［ｎ］）β
【００４２】
これらの計算式において、「Ｆ」は、送信ポイント間のフィードバック情報（ＣＱＩ）のばらつき度合いに応じて無線リソースの割り当て機会を調整するパラメータを示す。また、「γ」は、パラメータＦを更に調整するための重み付け係数を示す。パラメータＦがγによって調整される場合、「Ｆγ」が無線リソースの割り当て機会を調整するパラメータを構成する。
【００４３】
以下、パラメータＦの具体例について説明する。パラメータＦは、例えば、（式５）で求めることができる。
2014127961.tif 000003
ここで、「Ｘｉ」は、無線基地局装置ｅＮＢに対して、あるユーザ端末ＵＥがｉ番目の送信ポイントについて測定した報告値を示す。Ｘｉには、例えば、ＣＱＩやＲＳＲＰ及びｉ番目の送信ポイントから送信された送信データの平均データレート等が含まれる。また、「Ｎ」は、送信ポイントの総数を示す。さらに、（式５）の右辺を構成する分数の分母は、Ｘｉの算出平均を示し、分子は、Ｘｉの幾何平均を示す。
【００４４】
また、パラメータＦは、例えば、（式６）で求めることができる。
2014127961.tif 000004
【００４５】
この場合において、（式７）及び（式８）に示すように、それぞれ「μ２」及び「σ２」を定義すると、（式６）の演算は、（式９）に置換することができる。
2014127961.tif 000005
2014127961.tif 000006
2014127961.tif 000007
【００４６】
これらの（式５）及び（式６（式９））に示す計算式でパラメータＦを求めることにより、パラメータＦの値を、ユーザ端末ＵＥからフィードバックされる送信ポイント間のフィードバック情報のばらつき度合いに応じて変動させることができる。すなわち、ユーザ端末ＵＥからフィードバックされる送信ポイント間のフィードバック情報のばらつき度合いが相対的に大きいと、パラメータＦの値が相対的に大きく設定される。一方、ユーザ端末ＵＥからフィードバックされる送信ポイント間のフィードバック情報のばらつき度合いが相対的に小さいと、パラメータＦの値が相対的に小さく設定される。
【００４７】
なお、上述したＣｏＭＰ送信伝達セルを決定する過程において、送信ポイント数が単一である場合（すなわち、シングルポイントである場合）には、パラメータＦの値に「１」を設定することにより、補正前のＰＦスケジューリングメトリック（式１）及びＷＰＦスケジューリングメトリック（式２）と等価となる。このため、ＣｏＭＰ送信を行わないユーザ端末ＵＥに対する既存のＰＦスケジューリングメトリック等との互換性が確保される。したがって、既存のＰＦスケジューリングメトリック等との互換性を確保しながら、セルエッジＵＥに対して過度に無線リソースが割り当てられる事態を防止することが可能となる。
【００４８】
図５は、本発明に係る無線基地局装置ｅＮＢにおいて、ユーザ端末ＵＥからフィードバックされる送信ポイント間のＣＱＩのばらつき度合いに応じてスケジューリングメトリックを補正する動作を説明するためのフロー図である。なお、図５においては、無線基地局装置ｅＮＢからＣＳＩ−ＲＳを送信する工程からスケジューリング結果に基づいてユーザデータ（共有チャネルデータ）を送信する工程までを示している。また、図５においては、説明の便宜上、ユーザ端末ＵＥにおける処理を一部示している。
【００４９】
ユーザ端末ＵＥから到来するメジャメントレポート結果に基づいてチャネル品質測定用セル１１１（図３、図４参照）を指定すると、無線基地局装置ｅＮＢは、これらのチャネル品質測定用セル１１１のチャネル情報を測定するための複数のＣＳＩ−ＲＳを送信する（ステップＳ２１）。これらのＣＳＩ−ＲＳを受信すると、ユーザ端末ＵＥは、ＣＳＩ−ＲＳに基づいて、各送信ポイントのＣＱＩを測定する（ステップＳ２２）。そして、測定したＣＱＩを無線基地局装置ｅＮＢにフィードバックする（ステップＳ２３）。この場合、全てのチャネル品質測定用セル１１１のＣＱＩが測定され、フィードバックされる。
【００５０】
無線基地局装置ｅＮＢは、ユーザ端末ＵＥからフィードバックされる複数のチャネル品質測定用セル１１１（送信ポイント）間のＣＱＩのばらつき度合いを算出する（ステップＳ２４）。そして、無線基地局装置ｅＮＢは、算出したばらつき度合いに応じてスケジューリングメトリックを補正する（ステップＳ２５）。例えば、予め定められたスケジューリングメトリックがＰＦスケジューリングメトリック（式１）やＷＰＦスケジューリングメトリック（式２）であった場合、無線基地局装置ｅＮＢは、上述したパラメータＦを計算式に組み入れることにより、これらのスケジューリングメトリックを補正する（式３、式４）。
【００５１】
この補正により、スケジューリングメトリックが、ユーザ端末ＵＥからの送信ポイント間のＣＱＩのばらつき度合いが小さいユーザ端末ＵＥに割り当てる無線リソース量を少なくする一方、ばらつき度合いが大きいユーザ端末ＵＥに割り当てる無線リソース量を多くするスケジューリングメトリックに補正される。なお、ＣｏＭＰ送信が適用されないユーザ端末ＵＥに対しては、既存のスケジューリングメトリックと等価のスケジューリングメトリックが適用される。
【００５２】
無線基地局装置ｅＮＢは、補正後のスケジューリングメトリックによってスケジューリングするユーザ端末ＵＥを決定する（ステップＳ２６）。この場合、送信ポイント間のＣＱＩのばらつき度合いが小さいユーザ端末ＵＥに対して割り当てられる無線リソースが少なく設定され、送信ポイント間のＣＱＩのばらつき度合いが大きいユーザ端末ＵＥに対して割り当てられる無線リソースが多く設定される。そして、このように決定したユーザ端末ＵＥに対して、無線基地局装置ｅＮＢは、ユーザデータ（共有チャネルデータ）を送信する（ステップＳ２７）。
【００５３】
このように本発明においては、ユーザ端末ＵＥからフィードバックされる複数のチャネル品質測定用セル１１１（送信ポイント）間のＣＱＩのばらつき度合いを算出し、算出したばらつき度合いに応じてセルエッジＵＥに割り当てる無線リソースを決定する。これにより、無線基地局装置ｅＮＢからＣｏＭＰ送信する際にセルエッジＵＥに過度に無線リソースが割り当てられる事態を回避できるので、システム全体及びセル端のユーザ端末ＵＥのスループット特性を改善することが可能となる。
【００５４】
なお、本発明においては、セルエッジＵＥに過度の無線リソースが割り当てられる事態を回避するために、ユーザ端末ＵＥからフィードバックされる送信ポイント間のばらつき度合いに応じて、パラメータＦを用いてスケジューリングメトリックを補正する。ここで、セルエッジＵＥにおけるチャネル推定誤差は、一般に送信ポイント数が多くなるほど大きくなる。このため、スケジューリングメトリックの補正に用いられるパラメータに対して、送信ポイント数の影響を反映させることは実施の形態として好ましい。
【００５５】
例えば、ユーザ端末ＵＥからフィードバックされる送信ポイント数が多い場合、ばらつき度合いが小さくなるものとみなし、パラメータＦを送信ポイント数で正規化することが考えられる。この場合、送信ポイント数が多くなればなるほど、パラメータＦが小さい場合と同様に、該当するユーザ端末ＵＥに無線リソースを割り当てる機会を低減することが可能となる。
【００５６】
このようにパラメータＦを送信ポイント数で正規化する場合、無線基地局装置ｅＮＢは、上述した既存のＰＦスケジューリングメトリック（式１）及びＷＰＦスケジューリングメトリック（式２）を以下のように補正する。すなわち、ＰＦスケジューリングメトリックが適用される場合の無線リソースＰｉ［ｎ］は、以下の（式１０）、（式１１）により求められる。
（式１０）
Ｐｉ［ｎ］＝（Ｆ／Ｎ）γ×Ｒｉｎｓｔ［ｎ］／Ｒａｖｇ［ｎ］
（式１１）
Ｐｉ［ｎ］＝Ｆγ／ＮΦ×Ｒｉｎｓｔ［ｎ］／Ｒａｖｇ［ｎ］
ここで、「Ｎ」は、送信ポイントの総数を示す。また、「Φ」は、送信ポイント数Ｎを更に調整するための重み付け係数を示す。なお、（式１０）は、パラメータＦ及び送信ポイント数Ｎに共通の係数で重み付けを行う場合の計算式を示し、（式１１）は、パラメータＦ及び送信ポイント数Ｎに異なる係数で重み付けを行う場合の計算式を示している。
【００５７】
一方、ＷＰＦスケジューリングメトリックが適用される場合の無線リソースＷＰｉ［ｎ］は、以下の（式１２）、（式１３）により求められる。
（式１２）
ＷＰｉ［ｎ］＝（Ｆ／Ｎ）γ×（Ｒｉｎｓｔ［ｎ］）α／（Ｒａｖｇ［ｎ］）β
（式１３）
ＷＰｉ［ｎ］＝Ｆγ／ＮΦ×（Ｒｉｎｓｔ［ｎ］）α／（Ｒａｖｇ［ｎ］）β
ここで、（式１２）は、パラメータＦ及び送信ポイント数Ｎに共通の係数で重み付けを行う場合の計算式を示し、（式１３）は、パラメータＦ及び送信ポイント数Ｎに異なる係数で重み付けを行う場合の計算式を示している。これらの計算式において、パラメータＦが送信ポイント数Ｎによって正規化される場合、「（Ｆ／Ｎ）γ」及び「Ｆγ／ＮΦ」が無線リソースの割り当て機会を調整するパラメータを構成する。
【００５８】
このようにパラメータＦを送信ポイント数で正規化する場合、送信ポイント数が多くなればなるほど、該当するユーザ端末ＵＥに無線リソースを割り当てる機会を低減できる。これにより、送信ポイント数が多く設定されるセルエッジＵＥに過度に無線リソースが割り当てられる事態を効果的に回避できるので、システム全体及びセル端のユーザ端末ＵＥのスループット特性を改善することが可能となる。
【００５９】
以下、本発明の実施の形態について詳細に説明する。図６は、本実施の形態に係る無線通信システムのシステム構成の説明図である。なお、図６に示す無線通信システムは、例えば、ＬＴＥシステム或いはＳＵＰＥＲ  ３Ｇが包含されるシステムである。この無線通信システムでは、ＬＴＥシステムのシステム帯域を一単位とする複数の基本周波数ブロックを一体としたキャリアアグリゲーションが用いられている。また、この無線通信システムは、ＩＭＴ−Ａｄｖａｎｃｅｄと呼ばれてもよく、４Ｇと呼ばれてもよい。
【００６０】
図６に示すように、無線通信システム１は、無線基地局装置２０Ａ，２０Ｂと、この無線基地局装置２０Ａ，２０Ｂと通信する複数の第１、第２のユーザ端末１０Ａ，１０Ｂとを含んで構成されている。無線基地局装置２０Ａ，２０Ｂは、上位局装置３０と接続され、この上位局装置３０は、コアネットワーク４０と接続される。また、無線基地局装置２０Ａ，２０Ｂは、有線接続又は無線接続により相互に接続されている。第１、第２のユーザ端末１０Ａ，１０Ｂは、セル１，２において無線基地局装置２０Ａ，２０Ｂと通信を行うことができる。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。
【００６１】
第１、第２のユーザ端末１０Ａ，１０Ｂは、ＬＴＥ端末及びＬＴＥ−Ａ端末を含むが、以下においては、特段の断りがない限り第１、第２のユーザ端末１０Ａ，１０Ｂとして説明を進める。また、説明の便宜上、無線基地局装置２０Ａ，２０Ｂと移動端末装置である第１、第２のユーザ端末１０Ａ，１０Ｂが無線通信するものとして説明するが、第１、第２のユーザ端末１０Ａ，１０Ｂは、より一般的には固定端末装置も含むユーザ装置でよい。
【００６２】
無線通信システム１においては、無線アクセス方式として、下りリンクについてはＯＦＤＭＡ（直交周波数分割多元接続）が、上りリンクについてはＳＣ−ＦＤＭＡ（シングルキャリア−周波数分割多元接続）が適用されるが、無線アクセス方式はこれに限定されない。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【００６３】
ここで、通信チャネルについて説明する。下りリンクの通信チャネルは、第１、第２のユーザ端末１０Ａ，１０Ｂで共有される下りデータチャネルとしてのＰＤＳＣＨ（Ｐｈｙｓｉｃａｌ  Ｄｏｗｎｌｉｎｋ  Ｓｈａｒｅｄ  Ｃｈａｎｎｅｌ）と、下りＬ１／Ｌ２制御チャネル（ＰＤＣＣＨ、ＰＣＦＩＣＨ、ＰＨＩＣＨ）とを有する。ＰＤＳＣＨにより、送信データ及び上位制御情報が伝送される。ＰＤＣＣＨ（Ｐｈｙｓｉｃａｌ  Ｄｏｗｎｌｉｎｋ  Ｃｏｎｔｒｏｌ  Ｃｈａｎｎｅｌ）により、ＰＤＳＣＨおよびＰＵＳＣＨのスケジューリング情報等が伝送される。ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）により、ＰＤＣＣＨに用いるＯＦＤＭシンボル数が伝送される。ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）により、ＰＵＳＣＨに対するＨＡＲＱのＡＣＫ／ＮＡＣＫが伝送される。
【００６４】
上りリンクの通信チャネルは、各ユーザ端末１０Ａ，１０Ｂで共有される上りデータチャネルとしてのＰＵＳＣＨと、上りリンクの制御チャネルであるＰＵＣＣＨとを有する。このＰＵＳＣＨにより、送信データや上位制御情報が伝送される。また、ＰＵＣＣＨにより、下りリンクの無線品質情報（ＣＱＩ）、ＡＣＫ／ＮＡＣＫなどが伝送される。
【００６５】
図７を参照しながら、本実施の形態に係る無線基地局装置の全体構成について説明する。なお、無線基地局装置２０Ａ，２０Ｂは、同様な構成であるため、無線基地局装置２０として説明する。また、第１、第２のユーザ端末１０Ａ，１０Ｂも、同様な構成であるため、ユーザ端末１０として説明する。無線基地局装置２０は、送受信アンテナ２０１ａ，２０１ｂと、アンプ部２０２ａ，２０２ｂと、送受信部２０３ａ，２０３ｂと、ベースバンド信号処理部２０４と、呼処理部２０５と、伝送路インターフェース２０６とを備えている。下りリンクにより無線基地局装置２０からユーザ端末１０に送信される送信データは、上位局装置３０から伝送路インターフェース２０６を介してベースバンド信号処理部２０４に入力される。
【００６６】
ベースバンド信号処理部２０４において、下りデータチャネルの信号は、ＰＤＣＰレイヤの処理、送信データの分割・結合、ＲＬＣ（Ｒａｄｉｏ  Ｌｉｎｋ  Ｃｏｎｔｒｏｌ）再送制御の送信処理などのＲＬＣレイヤの送信処理、ＭＡＣ（Ｍｅｄｉｕｍ  Ａｃｃｅｓｓ  Ｃｏｎｔｒｏｌ）再送制御、例えば、ＨＡＲＱの送信処理、スケジューリング、伝送フォーマット選択、チャネル符号化、逆高速フーリエ変換（ＩＦＦＴ）処理、プリコーディング処理が行われる。また、下りリンク制御チャネルである物理下りリンク制御チャネルの信号に関しても、チャネル符号化や逆高速フーリエ変換等の送信処理が行われる。
【００６７】
また、ベースバンド信号処理部２０４は、報知チャネルにより、同一セルに接続するユーザ端末１０に対して、各ユーザ端末１０が無線基地局装置２０と無線通信するための制御情報を通知する。当該セルにおける通信のための情報には、例えば、上りリンク又は下りリンクにおけるシステム帯域幅や、ＰＲＡＣＨ（Ｐｈｙｓｉｃａｌ  Ｒａｎｄｏｍ  Ａｃｃｅｓｓ  Ｃｈａｎｎｅｌ）におけるランダムアクセスプリアンブルの信号を生成するためのルート系列の識別情報（Ｒｏｏｔ  Ｓｅｑｕｅｎｃｅ  Ｉｎｄｅｘ）などが含まれる。
【００６８】
送受信部２０３ａ，２０３ｂは、ベースバンド信号処理部２０４から出力されたベースバンド信号を無線周波数帯に変換する。アンプ部２０２ａ，２０２ｂは、周波数変換された無線周波数信号を増幅して送受信アンテナ２０１ａ，２０１ｂへ出力する。
【００６９】
一方、上りリンクによりユーザ端末１０から無線基地局装置２０に送信される信号については、送受信アンテナ２０１で受信された無線周波数信号がアンプ部２０２ａ，２０２ｂで増幅され、送受信部２０３ａ，２０３ｂで周波数変換されてベースバンド信号に変換され、ベースバンド信号処理部２０４に入力される。
【００７０】
ベースバンド信号処理部２０４は、上りリンクで受信したベースバンド信号に含まれる送信データに対して、ＦＦＴ処理、ＩＤＦＴ処理、誤り訂正復号、ＭＡＣ再送制御の受信処理、ＲＬＣレイヤ、ＰＤＣＰレイヤの受信処理を行う。復号された信号は伝送路インターフェース２０６を介して上位局装置３０に転送される。
【００７１】
呼処理部２０５は、通信チャネルの設定や解放等の呼処理や、無線基地局装置２０の状態管理や、無線リソースの管理を行う。
【００７２】
次に、図８を参照しながら、本実施の形態に係るユーザ端末の全体構成について説明する。ＬＴＥ端末もＬＴＥ−Ａ端末もハードウエアの主要部構成は同じであるので、区別せずに説明する。ユーザ端末１０は、送受信アンテナ１０１と、アンプ部１０２と、送受信部１０３と、ベースバンド信号処理部１０４と、アプリケーション部１０５とを備えている。
【００７３】
下りリンクのデータについては、送受信アンテナ１０１で受信された無線周波数信号がアンプ部１０２で増幅され、送受信部１０３で周波数変換されてベースバンド信号に変換される。このベースバンド信号は、ベースバンド信号処理部１０４でＦＦＴ処理や、誤り訂正復号、再送制御の受信処理等がなされる。この下りリンクのデータの内、下りリンクの送信データは、アプリケーション部１０５に転送される。アプリケーション部１０５は、物理レイヤやＭＡＣレイヤより上位のレイヤに関する処理等を行う。また、下りリンクのデータの内、報知情報も、アプリケーション部１０５に転送される。
【００７４】
一方、上りリンクの送信データは、アプリケーション部１０５からベースバンド信号処理部１０４に入力される。ベースバンド信号処理部１０４においては、マッピング処理、再送制御（ＨＡＲＱ）の送信処理や、チャネル符号化、ＤＦＴ処理、ＩＦＦＴ処理を行う。送受信部１０３は、ベースバンド信号処理部１０４から出力されたベースバンド信号を無線周波数帯に変換する。その後、アンプ部１０２は、周波数変換された無線周波数信号を増幅して送受信アンテナ１０１より送信する。
【００７５】
図９を参照して、無線基地局装置の機能ブロックについて説明する。図９に示す無線基地局装置は、集中制御型の無線基地局構成を有する。集中制御の場合、ある無線基地局装置（集中無線基地局装置、図９においてセル１）で一括してスケジューリングなどの無線リソース割り当て制御を行い、配下の無線基地局装置（遠隔無線装置、図９においてセル２）は無線基地局装置の無線リソース割り当て結果に従う。この場合、フィードバック情報（ＣＱＩ）は、無線基地局装置のスケジューリング部９２１において、複数セル間の無線リソース割り当て等に必要な情報として使われる。
【００７６】
なお、図９の各機能ブロックは、主に図７に示すベースバンド処理部２０４の処理内容に関するものである。また、図９の機能ブロック図は、本発明を説明するために簡略化したものであり、一般的なベースバンド処理部２０４において通常に備える構成を備えるものとする。
【００７７】
集中無線基地局装置（セル１）側の送信部は、下り制御情報生成部９０１と、下り制御情報符号化・変調部９０２と、下り参照信号生成部９０３と、下り送信データ生成部９０４と、上位制御情報生成部９０５と、下り送信データ符号化・変調部９０６とを備えている。また、集中無線基地局装置（セル１）側の送信部は、マッピング部９０７と、プリコーディング乗算部９０８と、プリコーディングウェイト生成部９０９と、下りチャネル多重部９１０と、ＩＦＦＴ部９１１（９１１ａ，９１１ｂ）と、ＣＰ付加部９１２（９１２ａ，９１２ｂ）と、送信アンプ９１３（９１３ａ，９１３ｂ）と、送信アンテナ９１４（９１４ａ，９１４ｂ）と、制御チャネル信号復調部９２０と、ユーザスケジューリング制御部９２１とを備えている。なお、送信アンプ９１３及び送信アンテナ９１４は、それぞれ図７に示すアンプ部２０２及び送受信アンテナ２０１に対応する。
【００７８】
一方、配下セルの遠隔無線装置（セル２）側の送信部は、下り制御情報生成部９３１と、下り制御情報符号化・変調部９３２と、下り参照信号生成部９３３と、下り送信データ生成部９３４と、下り送信データ符号化・変調部９３６とを備えている。また、配下セルの遠隔無線装置（セル２）側の送信部は、マッピング部９３７と、プリコーディング乗算部９３８と、プリコーディングウェイト生成部９３９と、下りチャネル多重部９４０と、ＩＦＦＴ部９４１ａ，９４１ｂと、ＣＰ付加部９４２ａ，９４２ｂと、送信アンプ９４３ａ，９４３ｂと、送信アンテナ９４４ａ，９４４ｂとを備えている。なお、集中無線基地局装置と配下セルの遠隔無線装置とは、例えば、光ファイバで接続されている。
【００７９】
下り制御情報生成部９０１，９３１は、それぞれスケジューリング部９２１の制御により下りリンクの制御情報を生成し、その下り制御情報を下り制御情報符号化・変調部９０２，９３２にそれぞれ出力する。下り制御情報符号化・変調部９０２，９３２は、下り制御情報に対してチャネル符号化及びデータ変調を行い、マッピング部９０７，９３７にそれぞれ出力する。
【００８０】
下り参照信号生成部９０３，９３３は、下り参照信号（ＣＲＳ，ＣＳＩ−ＲＳ，ＤＭ−ＲＳ）を生成し、その下り参照信号をマッピング部９０７，９３７にそれぞれ出力する。下り送信データ生成部９０４，９３４は、下りリンクの送信データを生成し、その下り送信データを下り送信データ符号化・変調部９０６，９３６にそれぞれ出力する。
【００８１】
上位制御情報生成部９０５は、ハイヤレイヤシグナリング（例えば、ＲＲＣシグナリング）により送受信される上位制御情報を生成し、生成した上位制御情報を下り送信データ符号化・変調部９０６に出力する。例えば、上位制御情報生成部９０５は、ユーザ端末１０に対するメジャメント候補セル、チャネル品質測定用セル及びＣｏＭＰ送信伝達セルなどの通知を含む上位制御情報を生成する。
【００８２】
下り送信データ符号化・変調部９０６は、下り送信データ及び上位制御情報に対してチャネル符号化及びデータ変調を行い、マッピング部９０７に出力する。下り送信データ符号化・変調部９３６は、下り送信データに対してチャネル符号化及びデータ変調を行い、マッピング部９３７に出力する。
【００８３】
マッピング部９０７，９３７は、下り制御情報、下り参照信号、下り送信データ及び上位制御情報をマッピングして、プリコーディング乗算部９０８，９３８にそれぞれ出力する。
【００８４】
プリコーディングウェイト生成部９０９，９３９は、ユーザ端末１０からフィードバックされるＰＭＩに基づいてプリコーディングウェイトを生成し、プリコーディング乗算部９０８，９３８にそれぞれ出力する。具体的には、プリコーディングウェイト生成部９０９，９３９は、それぞれコードブックを備えており、コードブックからＰＭＩに対応するプリコーディングウェイトを選択する。なお、プリコーディングウェイト生成部９０９，９３９で利用されるＰＭＩは、制御チャネル信号復調部９２０から与えられる。
【００８５】
プリコーディング乗算部９０８，９３８は、プリコーディングウェイトを送信信号に乗算する。すなわち、プリコーディング乗算部９０８，９３８は、プリコーディングウェイト生成部９０９，９３９から与えられるプリコーディングウェイトに基づいて、送信アンテナ９１４ａ，９１４ｂ、送信アンテナ９４４ａ，９４４ｂごとに位相シフト及び／又は振幅シフトを行う。プリコーディング乗算部９０８，９３８は、位相シフト及び／又は振幅シフトされた送信信号を下りチャネル多重部９１０，９４０にそれぞれ出力する。
【００８６】
下りチャネル多重部９１０，９４０は、位相シフト及び／又は振幅シフトされた下り制御情報、下り参照信号、上位制御情報及び下り送信データを合成し、送信アンテナ９１４ａ，９１４ｂ、送信アンテナ９４４ａ，９４４ｂごとの送信信号を生成する。下りチャネル多重部９１０，９４０は、この送信信号をＩＦＦＴ（Ｉｎｖｅｒｓｅ  Ｆａｓｔ  Ｆｏｕｒｉｅｒ  Ｔｒａｎｓｆｏｒｍ）部９１１ａ，９１１ｂ、ＩＦＦＴ部９４１ａ，９４１ｂにそれぞれ出力する。
【００８７】
ＩＦＦＴ部９１１ａ，９１１ｂ、ＩＦＦＴ部９４１ａ，９４１ｂは、送信信号にＩＦＦＴして、ＩＦＦＴ後の送信信号をＣＰ付加部９１２ａ，９１２ｂ、ＣＰ付加部９４２ａ，９４２ｂに出力する。ＣＰ付加部９１２ａ，９１２ｂ、ＣＰ付加部９４２ａ，９４２ｂは、ＩＦＦＴ後の送信信号にＣＰ（Ｃｙｃｌｉｃ  Ｐｒｅｆｉｘ）を付加して、ＣＰ付加後の送信信号を送信アンプ９１３ａ，９１３ｂ、送信アンプ９４３ａ，９４３ｂにそれぞれ出力する。
【００８８】
送信アンプ９１３ａ，９１３ｂ、送信アンプ９４３ａ，９４３ｂは、ＣＰ付加後の送信信号を増幅する。増幅後の送信信号は、送信アンテナ９１４ａ，９１４ｂ、送信アンテナ９４４ａ，９４４ｂからそれぞれ下りリンクでユーザ端末１０に送出される。
【００８９】
制御チャネル信号復調部９２０は、ユーザ端末１０からＰＵＣＣＨにより通知される制御チャネル信号を復調して、制御チャネル信号に含まれるＰＭＩをプリコーディングウェイト生成部９０９，９３９に出力し、ＣＱＩを下り制御情報生成部９０１、上位制御情報生成部９０５及びスケジューリング部９２１に出力する。なお、ＣＱＩがＰＵＳＣＨにより通知される場合には、不図示の上りデータチャネル復調部において上り送信データを復調し、上り送信データに含まれるＣＱＩをスケジューリング部９２１に出力する。
【００９０】
スケジューリング部９２１には、上位レイヤからメジャメントレポート結果（ＲＳＲＰ／ＲＳＲＱ）が通知される。スケジューリング部９２１は、制御チャネル信号復調部９２０等から出力されるＣＱＩに基づいて、ＣｏＭＰ送信適用時に、ユーザ端末１０に共有データチャネルを送信するＣｏＭＰ送信伝達セルを決定する。
【００９１】
特に、スケジューリング部９２１は、ばらつき算出部９２１ａ及びメトリック補正部９２１ｂを備える。ばらつき算出部９２１ａは、算出部を構成するものであり、制御チャネル信号復調部９２０等から入力される送信ポイント間のＣＱＩのばらつき度合いを算出する。そして、算出したばらつき度合いをメトリック補正部９２１ｂに出力する。この場合において、ばらつき算出部９２１ａは、例えば、上述した（式５）や（式６）に示す計算式を用いて送信ポイント間のＣＱＩのばらつき度合いを算出する。
【００９２】
メトリック補正部９２１ｂは、決定部を構成するものであり、ばらつき算出部９２１ａから入力されるばらつき度合いに応じてスケジューリングメトリックを補正する。そして、補正したスケジューリングメトリックを用いてスケジューリングするユーザ端末１０（すなわち、無線リソースを割り当てるユーザ端末１０）を決定する。この場合において、メトリック補正部９２１ｂは、例えば、上述した（式１）〜（式４）や（式１０）〜（式１３）に示す計算式を用いてスケジューリングメトリックを補正する。
【００９３】
このように補正後のスケジューリングメトリックを用いてスケジューリングするユーザ端末１０が決定され、そのユーザ端末１０に対して無線リソースが割り当てられる。補正後のスケジューリングメトリックにおいては、送信ポイント間のＣＱＩのばらつき度合いが小さいユーザ端末１０に割り当てる無線リソース量が少なくされる一方、ばらつき度合いが大きいユーザ端末１０に割り当てる無線リソース量が多くされる。これにより、無線基地局装置２０からＣｏＭＰ送信する際にセルエッジＵＥに過度に無線リソースが割り当てられる事態を回避できるので、システム全体及びセル端のユーザ端末ＵＥのスループット特性を改善することが可能となる。
【００９４】
次に、図１０を参照して、図９に示す無線基地局装置とは異なる構成の無線基地局装置の機能ブロックについて説明する。図１０に示す無線基地局装置は、自律分散制御型の無線基地局構成を有する。自律分散制御の場合、複数の無線基地局装置で、それぞれスケジューリングなどの無線リソース割り当て制御が行われる。この場合、フィードバック情報（ＣＱＩ）は、複数の無線基地局装置におけるユーザスケジューリング制御部９２１，９５１において、それぞれの無線リソース割り当て等に必要な情報として使われる。
【００９５】
なお、図１０の各機能ブロックは、主に図７に示すベースバンド処理部２０４の処理内容に関するものである。また、図１０の機能ブロック図は、本発明を説明するために簡略化したものであり、一般的なベースバンド処理部２０４において通常に備える構成を備えるものとする。また、図１０において、図９と同じ機能ブロックについては図９と同じ符号を付してその詳細な説明は省略する。
【００９６】
セル１側の送信部は、下り制御情報生成部９０１と、下り制御情報符号化・変調部９０２と、下り参照信号生成部９０３と、下り送信データ生成部９０４と、上位制御情報生成部９０５と下り送信データ符号化・変調部９０６と、マッピング部９０７と、プリコーディング乗算部９０８と、プリコーディングウェイト生成部９０９と、下りチャネル多重部９１０と、ＩＦＦＴ部９１１ａ，９１１ｂと、ＣＰ付加部９１２ａ，９１２ｂと、送信アンプ９１３ａ，９１３ｂと、送信アンテナ９１４ａ，９１４ｂと、制御チャネル信号復調部９２０と、スケジューリング部９２１と、セル間制御情報送受信部９２２とを備えている。
【００９７】
セル２側の送信部も、同様に、下り制御情報生成部９３１と、下り制御情報符号化・変調部９３２と、下り参照信号生成部９３３と、下り送信データ生成部９３４と、上位制御情報生成部９３５と、下り送信データ符号化・変調部９３６と、マッピング部９３７と、プリコーディング乗算部９３８と、プリコーディングウェイト生成部９３９と、下りチャネル多重部９４０と、ＩＦＦＴ部９４１ａ，９４１ｂと、ＣＰ付加部９４２ａ，９４２ｂと、送信アンプ９４３ａ，９４３ｂと、送信アンテナ９４４ａ，９４４ｂと、制御チャネル信号復調部９５０と、スケジューリング部９５１と、セル間制御情報送受信部９５２とを備えている。
【００９８】
セル２側の送信部が有する制御チャネル信号復調部９５０、スケジューリング部９５１の機能は、それぞれ、セル１側の送信部が有する制御チャネル信号復調部９２０、スケジューリング部９２１の機能と同様である。
【００９９】
すなわち、制御チャネル信号復調部９５０は、ユーザ端末１０からＰＵＣＣＨにより通知される制御チャネル信号を復調して、制御チャネル信号に含まれるＰＭＩをプリコーディングウェイト生成部９３９に出力し、ＣＱＩをユーザスケジューリング制御部９５１に出力する。なお、ＣＱＩがＰＵＳＣＨにより通知される場合には、不図示の上りデータチャネル復調部において上り送信データを復調し、上り送信データに含まれるＣＱＩをユーザスケジューリング制御部９５１に出力する。
【０１００】
また、スケジューリング部９５１は、制御チャネル信号復調部９５０等から出力されるＣＱＩに基づいて、ＣｏＭＰ送信適用時に、ユーザ端末１０に共有データチャネルを送信するＣｏＭＰ送信伝達セルを決定する。スケジューリング部９５１は、スケジューリング部９２１と同様に、ばらつき算出部９５１ａ及びメトリック補正部９５１ｂを備える。ばらつき算出部９５１ａは、制御チャネル信号復調部９５０等から入力される送信ポイント間のＣＱＩのばらつき度合いを算出し、メトリック補正部９５１ｂに出力する。メトリック補正部９５１ｂは、ばらつき算出部９２１ａから入力されるばらつき度合いに応じてスケジューリングメトリックを補正する。そして、補正したスケジューリングメトリックを用いてスケジューリングするユーザ端末１０（すなわち、無線リソースを割り当てるユーザ端末１０）を決定する。
【０１０１】
なお、セル間制御情報送受信部９２２，９５２は、例えば、Ｘ２インターフェースを介して接続されており、スケジューリング部９２１，９５１から出力されるタイミング情報やスケジューリング情報などを互いに送受信する。これにより、セル間の協調が可能になっている。
【０１０２】
図１１を参照して、ユーザ端末の機能ブロックについて説明する。なお、図１１の各機能ブロックは、主に図８に示すベースバンド信号処理部１０４の処理内容に関するものである。また、図１１に示す機能ブロックは、本発明を説明するために簡略化したものであり、ベースバンド処理部において通常に備える構成は備えるものとする。
【０１０３】
ユーザ端末１０の受信部は、ＣＰ除去部１１０１と、ＦＦＴ部１１０２と、下りチャネル分離部１１０３と、下り制御情報復調部１１０４と、下り送信データ復調部１１０５と、チャネル推定部１１０６と、チャネル品質測定部１１０７と、ＰＭＩ選択部１１０８と、フィードバック情報生成部１１０９とを備えている。
【０１０４】
無線基地局装置ｅＮＢから送出された送信信号は、図８に示す送受信アンテナ１０１により受信され、ＣＰ除去部１１０１に出力される。ＣＰ除去部１１０１は、受信信号からＣＰを除去し、ＦＦＴ部１１０２に出力する。ＦＦＴ部１１０２は、ＣＰ除去後の信号を高速フーリエ変換（ＦＦＴ：Ｆａｓｔ  Ｆｏｕｒｉｅｒ  Ｔｒａｎｓｆｏｒｍ）し、時間領域の信号から周波数領域の信号に変換する。ＦＦＴ部１１０２は、周波数領域の信号に変換された信号を下りチャネル分離部１１０３に出力する。下りチャネル分離部１１０３は、下りチャネル信号を、下り制御情報、下り送信データ、上位制御情報、下り参照信号に分離する。下りチャネル分離部１１０３は、下り制御情報を下り制御情報復調部１１０４に出力し、下り送信データ及び上位制御情報を下り送信データ復調部１１０５に出力し、下り参照信号をチャネル推定部１１０６に出力する。
【０１０５】
下り制御情報復調部１１０４は、下り制御情報を復調し、復調した制御情報を下り送信データ復調部１１０５及びチャネル品質測定部１１０７に出力する。また、下り制御情報復調部１１０４は、下り制御情報に含まれる制御チャネル信号（例えば、ＰＤＣＣＨ）を復調する。下り送信データ復調部１１０５は、制御情報を用いて下り送信データを復調する。また、下り送信データ復調部１１０５は、下り送信データに含まれる上位制御情報を復調してチャネル品質測定部１１０７に通知する。チャネル推定部１１０６は、下り参照信号を用いてチャネル状態を推定し、推定したチャネル状態をチャネル品質測定部１１０７及びＰＭＩ選択部１１０８に出力する。
【０１０６】
チャネル品質測定部１１０７は、下り送信データ復調部１１０５から通知される上位制御情報及び下り制御情報復調部１１０４から通知される制御情報に基づいて、チャネル推定部１１０６から通知されるチャネル状態からＲＳＲＰ／ＲＳＲＱ及びＣＱＩを測定する。例えば、チャネル品質測定部１１０７は、無線基地局装置２０から指定される全てのチャネル品質測定用セル１１１のＲＳＲＰ／ＲＳＲＱ及びＣＱＩを測定する。チャネル品質測定部１１０７で測定されたＲＳＲＰ／ＲＳＲＱ及びＣＱＩは、フィードバック情報としてフィードバック情報生成部１１０９に出力される。
【０１０７】
ＰＭＩ選択部１１０８は、チャネル推定部１１０６から通知されたチャネル状態からコードブックを用いてＰＭＩを選択する。ＰＭＩ選択部１１０８で選択されたＰＭＩは、フィードバック情報としてフィードバック情報生成部１１０９に出力される。
【０１０８】
フィードバック情報生成部１１０９は、チャネル品質測定部１１０７で測定されたＲＳＲＰ／ＲＳＲＱ及びＣＱＩをフィードバック情報として、無線基地局装置２０へフィードバックする。例えば、無線基地局装置２０から指定される全てのチャネル品質測定用セル１１１のＲＳＲＰ／ＲＳＲＱ及びＣＱＩが無線基地局装置２０にフィードバックされる。
【０１０９】
上記構成のシステムを適用した無線通信システムについて説明する。本実施の形態に係る無線通信システム１は、複数の無線基地局装置２０と、これらの複数の無線基地局装置２０とＣｏＭＰ送受信可能に構成されたユーザ端末１０とを備えて構成される。この場合において、ユーザ端末１０は、ＣｏＭＰ送信の送信ポイント毎にフィードバック情報（例えば、ＣＱＩ）を送信する。一方、無線基地局装置２０は、ユーザ端末１０からフィードバックされる、ＣｏＭＰ送信の送信ポイント間のフィードバック情報のばらつき度合いを算出し、算出したばらつき度合いに応じてユーザ端末１０に割り当てる無線リソースを決定する。
【０１１０】
この無線通信システムによれば、無線基地局装置２０において、ユーザ端末１０からフィードバックされる送信ポイント間のフィードバック情報のＣＱＩのばらつき度合いが算出され、算出されたばらつき度合いに応じてユーザ端末１０に割り当てる無線リソースが決定される。これにより、無線基地局装置２０からＣｏＭＰ送信する際にセルエッジＵＥに過度に無線リソースが割り当てられる事態を回避できるので、システム全体及びセル端のユーザ端末ＵＥのスループット特性を改善することが可能となる。
【０１１１】
なお、本発明は明細書の記載に限定されず、種々変更して実施することができる。例えば、上記実施の形態では、無線基地局装置ｅＮＢがＣｏＭＰ送信伝達セルを決定する過程において、ユーザ端末ＵＥからフィードバックされる送信ポイント間のＣＱＩのばらつき度合いを算出する場合について説明している。しかしながら、ばらつき度合いを算出するためのフィードバック情報については、これに限定されるものではなく適宜変更が可能である。例えば、ユーザ端末ＵＥからフィードバックされる、メジャメント候補セル１１０（ＲＲＭ  ｍｅａｓｕｒｅｍｅｎｔ  ｓｅｔで指定されるセル）間、チャネル品質測定用セル１１１（ＣｏＭＰ  ｍｅａｓｕｒｅｍｅｎｔ  ｓｅｔで指定されるセル）間、或いは、ＣｏＭＰ送信伝達セル１１２（ＣｏＭＰ  ｔｒａｎｓｍｉｓｓｉｏｎ  ｐｏｉｎｔｓ）間のＲＳＲＰ／ＲＳＲＱを用いることもできる。
【０１１２】
このように送信ポイント間のＲＳＲＰ／ＲＳＲＱのばらつき度合いに応じてスケジューリングメトリックを補正する場合には、ＣＱＩのばらつき度合いに応じてスケジューリングメトリックを補正する場合と同様に、無線基地局装置ｅＮＢからＣｏＭＰ送信する際にセルエッジＵＥに過度に無線リソースが割り当てられる事態を回避できるので、システム全体及びセル端のユーザ端末ＵＥのスループット特性を改善することが可能となる。また、例えば、本明細書に示す構成要素の接続関係、機能などは適宜変更して実施することが可能である。また、本明細書に示す構成は、適宜組み合わせて実施することが可能である。その他、本発明は、本発明の範囲を逸脱しないで適宜変更して実施することができる。
【符号の説明】
【０１１３】
１  無線通信システム
１０  ユーザ端末
１０Ａ  第１のユーザ端末
１０Ｂ  第２のユーザ端末
２０，２０Ａ，２０Ｂ  無線基地局装置
３０  上位局装置
４０  コアネットワーク
１０１  送受信アンテナ
１０２  アンプ部
１０３  送受信部
１０４  ベースバンド信号処理部
１０５  アプリケーション部
１１０  メジャメント候補セル
１１１  チャネル品質測定用セル
１１２  ＣｏＭＰ送信伝達セル
２０１ａ，２０１ｂ  送受信アンテナ
２０２ａ，２０２ｂ  アンプ部
２０３ａ，２０３ｂ  送受信部
２０４  ベースバンド信号処理部
２０５  呼処理部
２０６  伝送路インターフェース
９０１，９３１  下り制御情報生成部
９０２，９３２  下り制御情報符号化・変調部
９０３，９３３  下り参照信号生成部
９０４，９３４  下り送信データ生成部
９０５，９３５  上位制御情報生成部
９０６，９３６  下り送信データ符号化・変調部
９０７，９３７  マッピング部
９０８，９３８  プリコーディング乗算部
９０９，９３９  プリコーディングウェイト生成部
９１０，９４０  下りチャネル多重部
９１１，９１１ａ，９１１ｂ，９４１，９４１ａ，９４１ｂ  ＩＦＦＴ部
９１２，９１２ａ，９１２ｂ，９４２，９４２ａ，９４２ｂ  ＣＰ付加部
９１３，９１３ａ，９１３ｂ，９４３，９４３ａ，９４３ｂ  送信アンプ
９１４，９１４ａ，９１４ｂ，９４４，９４４ａ，９４４ｂ  送信アンテナ
９２０，９５０  制御チャネル信号復調部
９２１，９５１  スケジューリング部
９２１ａ，９５１ａ  ばらつき算出部
９２１ｂ，９５１ｂ  メトリック補正部
９２２，９５２  セル間制御情報送受信部
１１０１  ＣＰ除去部
１１０２  ＦＦＴ部
１１０３  下りチャネル分離部
１１０４  下り制御情報復調部
１１０５  下り送信データ復調部
１１０６  チャネル推定部
１１０７  チャネル品質測定部
１１０８  ＰＭＩ選択部
１１０９  フィードバック情報生成部
【図１】
2014127961.tif 000008
【図２】
2014127961.tif 000009
【図３】
2014127961.tif 000010
【図４】
2014127961.tif 000011
【図５】
2014127961.tif 000012
【図６】
2014127961.tif 000013
【図７】
2014127961.tif 000014
【図８】
2014127961.tif 000015
【図９】
2014127961.tif 000016
【図１０】
2014127961.tif 000017
【図１１】
2014127961.tif 000018